(57)【要約】【課題】使い勝手のよいカメラを提供する。【解決手段】載置面に載置可能な底面部を有する本体と、レンズ鏡筒を含み前記本体の正面部から突出する突出部と、前記正面部に対向する背面部に設けられた表示部と、前記突出部の先端部と前記底面部の一部とが前記載置面に当接するように載置されたことを検出する載置検出部と、前記載置検出部により前記載置が検出されたことに応じて、前記表示部の表示内容が変化するよう前記表示部を制御する制御部と、を備えるカメラ。【選択図】図１
2014142553.tif 000002
【特許請求の範囲】
【請求項１】
載置面に載置可能な底面部を有する本体と、
レンズ鏡筒を含み前記本体の正面部から突出する突出部と、
前記正面部に対向する背面部に設けられた表示部と、
前記突出部の先端部と前記底面部の一部とが前記載置面に当接するように載置されたことを検出する載置検出部と、
前記載置検出部により前記載置が検出されたことに応じて、前記表示部の表示内容が変化するよう前記表示部を制御する制御部と、
を備えることを特徴とするカメラ。
【請求項２】
請求項１に記載のカメラにおいて、
前記突出部は、前記本体から突出する前記レンズ鏡筒を囲う鏡筒包囲部材であることを特徴とするカメラ。
【請求項３】
請求項１に記載のカメラにおいて、
前記突出部は、前記レンズ鏡筒であることを特徴とするカメラ。
【請求項４】
請求項１〜３のいずれか一項に記載のカメラにおいて、
前記正面部に設けられ、被写体に撮影補助光を照射する発光部を備え、
前記突出部は、前記被写体に照射された前記撮影補助光を妨げない円錐台形形状を有することを特徴とするカメラ。
【請求項５】
請求項１〜４のいずれか一項に記載のカメラにおいて、
前記制御部は、前記載置検出部により前記載置が検出されたことに応じて、撮影画像が前記表示部に再生されるよう制御することを特徴とするカメラ。
【請求項６】
請求項１〜４のいずれか一項に記載のカメラにおいて、
前記制御部は、前記載置検出部により前記載置が検出されたことに応じて、撮影画像の再生方法を選択するメニューが前記表示部に表示されるよう制御することを特徴とするカメラ。
【請求項７】
請求項１〜６のいずれか一項に記載のカメラにおいて、
前記底面部に設けられたスピーカを備え、
前記制御部は、前記載置検出部により前記載置が検出されているときに、前記スピーカにより音声を再生することを特徴とするカメラ。
【請求項８】
請求項１〜７のいずれか一項に記載のカメラにおいて、
前記底面部および前記背面部の一方に設けられ、前記載置面に光像を投影する投影部を備えることを特徴とするカメラ。
【請求項９】
請求項８に記載のカメラにおいて、
前記投影部は、前記載置面に操作部材の光像を投影し、
前記投影部により前記載置面に投影された前記操作部材の光像に対して成された操作を検知する操作検知部を備えることを特徴とするカメラ。
【請求項１０】
請求項１〜９のいずれか一項に記載のカメラにおいて、
ユーザにより撮影に関する操作が為される撮影操作部を備え、
前記制御部は、前記載置検出部により前記載置が検出されている場合、前記撮影操作部による前記撮影に関する操作を禁止することを特徴とするカメラ。
【請求項１１】
請求項１０に記載のカメラにおいて、
前記撮影操作部は、前記表示部の表示画面において接触された接触位置を検知するタッチパネルであることを特徴とするカメラ。
【請求項１２】
載置面に載置可能な底面部を有する本体と、
レンズ鏡筒を含み前記本体の正面部から突出する突出部と、
被写体像を撮像する撮像部と、
前記突出部の先端部と前記底面部の一部とが前記載置面に当接するように載置されたことを検出する載置検出部と、
前記載置検出部により前記載置が検出されている場合、前記撮像部による撮像が禁止されるよう前記撮像部を制御する制御部と、
を備えることを特徴とするカメラ。
【発明の詳細な説明】
【技術分野】
【０００１】
本発明は、カメラに関する。
【背景技術】
【０００２】
従来、カメラ本体の一部とレンズ鏡筒の一部とを載置面に当接させ、レンズ鏡筒を繰り出して投影角度を大きくすることにより、投影像のケラレを防止するプロジェクタ内蔵カメラが知られている（例えば特許文献１）。
【先行技術文献】
【特許文献】
【０００３】
【特許文献１】特開２００９−１６９０７９号公報
【発明の概要】
【発明が解決しようとする課題】
【０００４】
特許文献１に記載のカメラは、カメラを操作し難い姿勢に載置するため、使い勝手が悪いという問題があった。
【課題を解決するための手段】
【０００５】
請求項１に記載のカメラは、載置面に載置可能な底面部を有する本体と、レンズ鏡筒を含み前記本体の正面部から突出する突出部と、前記正面部に対向する背面部に設けられた表示部と、前記突出部の先端部と前記底面部の一部とが前記載置面に当接するように載置されたことを検出する載置検出部と、前記載置検出部により前記載置が検出されたことに応じて、前記表示部の表示内容が変化するよう前記表示部を制御する制御部と、を備えることを特徴とする。
請求項１２に記載のカメラは、載置面に載置可能な底面部を有する本体と、レンズ鏡筒を含み前記本体の正面部から突出する突出部と、被写体像を撮像する撮像部と、前記突出部の先端部と前記底面部の一部とが前記載置面に当接するように載置されたことを検出する載置検出部と、前記載置検出部により前記載置が検出されている場合、前記撮像部による撮像が禁止されるよう前記撮像部を制御する制御部と、を備えることを特徴とする。
【発明の効果】
【０００６】
本発明によれば、使い勝手のよいカメラを提供する。
【図面の簡単な説明】
【０００７】
【図１】本発明の第１の実施の形態に係るカメラ１００の平面図である。
【図２】カメラ１００の構成を模式的に示すブロック図である。
【図３】レンズ鏡筒１０２の繰り出し範囲を示す模式図である。
【図４】再生モードにおけるカメラ１００の姿勢を示す図である。
【図５】制御部１１２が実行するモード切替処理のフローチャートである。
【発明を実施するための形態】
【０００８】
（第１の実施の形態）
図１（ａ）〜図１（ｃ）は、それぞれ本発明の第１の実施の形態に係るカメラ１００を異なる視点から見た平面図であり、図１（ａ）にはカメラ１００の正面部が、図１（ｂ）にはカメラ１００の側面部が、図１（ｃ）にはカメラ１００の底面部が、それぞれ図示されている。
【０００９】
カメラ１００の正面部からは、沈胴式のレンズ鏡筒１０２を囲う鏡筒包囲部１０１が突出している。カメラ１００は防水カメラであり、鏡筒包囲部１０１はカメラ内部（特にレンズ鏡筒１０２）に水滴が浸入しないようレンズ鏡筒１０２を密封している。正面部の鏡筒包囲部１０１の上部には、閃光装置１０３が設置される。閃光装置１０３は、被写体に照明光（撮影補助光）を照射する光源である。カメラ１００の上部にはレリーズスイッチ１０４が設置される。
【００１０】
カメラ１００の背面部（正面部に対向する面）には、例えば液晶パネル等の表示画面を有する表示部１０５が設置される。カメラ１００の底面部には、一対のスピーカー１０７と、投影部１０８と、操作検知用カメラ１０９と、が設置される。一対のスピーカー１０７は一定の間隔で配置され、音楽等のステレオ再生が可能に構成される。投影部１０８はＬＥＤ等の光源やＬＣＯＳ等の反射型表示素子、投影レンズ等を備え、反射型表示素子に光像を形成してカメラ１００の底面部から投影する。操作検知用カメラ１０９は、小型のカメラモジュールであり、投影部１０８による光像の投影範囲を含む一定の範囲を撮影する。
【００１１】
鏡筒包囲部１０１の先端部には一定角度でテーパが設けられている。これは、閃光装置１０３による照明光（撮影補助光）が、カメラ１００本体の正面部から突出している鏡筒包囲部１０１により蹴られないようにするためである。つまり、鏡筒包囲部１０１は、閃光装置１０３による照明光（撮影補助光）を妨げない形状（円錐台形）を有している。
【００１２】
図２は、カメラ１００の構成を模式的に示すブロック図である。カメラ１００は、上述した各部に加え、撮像素子１１０と、加速度センサ１１１と、制御部１１２と、記憶媒体１１３とを有する。
【００１３】
撮像素子１１０は、例えばＣＣＤやＣＭＯＳ等の撮像素子であり、レンズ鏡筒１０２により結像された被写体像を撮像する。加速度センサ１１１は三軸の加速度センサであり、カメラ１００の加速度をＸ軸とＹ軸とＺ軸とについて検出する。制御部１１２は不図示のＣＰＵ、メモリ、およびその周辺回路を含み、不図示の記憶媒体（例えばＲＯＭ）から所定の制御プログラムを読み込んで実行することによりカメラ１００の各部を制御する。記憶媒体１１３は例えばメモリカード等の可搬性記憶媒体である。制御部１１２は、例えば撮像素子１１０により撮像された被写体像の画像データを記憶媒体１１３に書き込んだり、記憶媒体１１３から読み込んだりする。
【００１４】
（レンズ鏡筒１０２の説明）
レンズ鏡筒１０２はいわゆる光学ズームに対応しており、光軸方向に駆動することで焦点距離が可変に構成されている。レンズ鏡筒１０２には不図示のアクチュエータが接続されており、制御部１１２はこのアクチュエータを制御してレンズ鏡筒１０２の繰り出しを制御する。
【００１５】
図３は、レンズ鏡筒１０２の繰り出し範囲を示す模式図である。レンズ鏡筒１０２は、広角端において図３（ａ）に示すようにカメラ１００本体の中央近傍に位置している。例えばユーザがズーム位置を望遠端にセットするよう操作を行うと、図３（ｂ）に示すように、制御部１１２はレンズ鏡筒１０２を鏡筒包囲部１０１の近傍まで繰り出す。図３（ｂ）に示すように、鏡筒包囲部１０１の形状は、レンズ鏡筒１０２の繰り出し範囲に基づいて決定されている。つまり、鏡筒包囲部１０１は、レンズ鏡筒１０２を最も大きく繰り出す場合であってもレンズ鏡筒１０２の動きが阻害されない十分な大きさを有している。
【００１６】
（撮影モードの説明）
不図示の電源スイッチを押下すると、カメラ１００に電源が投入され、カメラ１００は撮影モードになる。カメラ１００が撮影モードのとき、制御部１１２は所定間隔（例えば６０分の１秒）ごとに撮像素子１１０に撮像を行わせてスルー画を作成し、表示部１０５にそのスルー画を表示させる。ユーザがレリーズスイッチ１０４を押下すると、制御部１１２は撮像素子１１０に撮像を行わせて撮影画像データを作成し、記憶媒体１１３に撮影画像データを記憶する。
【００１７】
（再生モードの説明）
図４は、再生モードにおけるカメラ１００の姿勢を示す図である。カメラ１００が撮影モードのとき、図４に示すように、鏡筒包囲部１０１の先端部１２０とカメラ１００の底面部の先端部１３０とが載置面１５０に当接するよう、載置面１５０にカメラ１００を載置すると、カメラ１００は撮影モードから再生モードに遷移する。制御部１１２は、加速度センサ１１１の出力から、カメラ１００がそのような姿勢で載置されたことを検出して、カメラ１００を再生モードに遷移させる。
【００１８】
制御部１１２は、カメラ１００が再生モードに遷移すると、記憶媒体１１３に記憶されている撮影画像データを、所定順序（例えば撮影日時の古い順）で一定時間ごとに表示部１０５に表示すると共に、スピーカー１０７により所定の音楽をステレオ再生する。再生モードのとき、表示部１０５は斜め上方（図４では右上の方向）を向き、複数人での鑑賞に適した状態となる。また、再生モードのときレンズ鏡筒１０２は載置面１５０を向くので、通常、この姿勢のまま撮影や焦点調節等を行う必要はない。そこで、制御部１１２は、再生モードにおいて撮影に関する操作を禁止することにより、誤操作による撮影を防止する。例えばレリーズスイッチ１０４を押下しても撮影は行われない。また、自動焦点調節（ＡＦ）機能を利用することもできない。
【００１９】
スピーカー１０７は、図１（ｃ）に示したように、カメラ１００本体の底面部に設置される。底面部の全面が載置面１５０に当接するような姿勢でカメラ１００を載置した場合には、スピーカー１０７は載置面１５０により塞がれてしまうので、音楽再生を行っても音が籠もってしまう。しかしながら、再生モードのときカメラ１００は図４に示すようにスピーカー１０７が載置面１５０に密接しない姿勢をとるので、載置面１５０がスピーカー１０７による音楽再生を阻害しない。
【００２０】
更に、カメラ１００が再生モードであるとき、制御部１１２は、投影部１０８と操作検知用カメラ１０９とを利用したカメラ１００の操作機能を提供する。以下、この機能について、図４に基づいて説明する。
【００２１】
カメラ１００が再生モードに遷移したとき、制御部１１２は、投影部１０８による操作画像の載置面１５０への投影を開始する。操作画像とは、「次の画像」、「前の画像」など、再生モードにおいて実行可能な各操作に対応するボタンを含む画像である。制御部１１２は、投影部１０８による操作画像の投影と並行して、操作検知用カメラ１０９により、操作画像の投影範囲１４０を含む周辺の撮影を行う。そして、その撮影結果から、手指等により操作画像に対して成された各ボタンの押下操作を検知し、当該ボタンに対応する処理を実行する。例えば、ユーザが手指等により、載置面１５０に投影された「次の画像」ボタンを押下した場合、制御部１１２はその押下操作を検知したことに応じて、表示部１０５に、次の撮影画像データを再生する。
【００２２】
図５は、制御部１１２が実行するモード切替処理のフローチャートである。制御部１１２は、電源オン中に図５に示すモード切替処理を繰り返し実行する。まずステップＳ１００において、制御部１１２は、加速度センサ１１１の出力に基づいて、カメラ１００が載置面１５０に所定角度（図４に示す角度）で載置されたか否かを判定する。このとき、単にカメラ１００の前後方向への傾きを確認するだけでなく、時系列的なカメラ１００の傾きの変化を調べ、カメラ１００がユーザに手持ちされていないことも確認することが望ましい。カメラ１００が手持ちされている場合、カメラ１００の角度を時系列的に見ると、各方向について微小変化を繰り返していることが考えられる。そこで、制御部１１２は、そのような微小変化が確認された場合、載置面１５０に載置されていないと判断する。
【００２３】
ステップＳ１００において、図４のように載置されたことを検出した場合、制御部１１２はステップＳ１１０〜ステップＳ１４０の処理を実行することにより、カメラ１００を再生モードにする。再生モードに遷移させるための処理を具体的に説明すると、まずステップＳ１１０において、制御部１１２は撮影に関する操作（例えばレリーズスイッチ１０４の押下による撮影等）を禁止する。そして、ステップＳ１２０において表示部１０５に最も古い撮影画像データを表示する。ステップＳ１２５では、スピーカー１０７による音楽再生を開始する。ステップＳ１３０では、前述の操作画像を載置面１５０に投影し、ステップＳ１４０では操作検知用カメラ１０９によるユーザ操作の操作検知を開始する。
【００２４】
他方、ステップＳ１００で載置面１５０への載置を検出しなかった場合は、ステップＳ１５０〜Ｓ１６０の処理を実行することにより、カメラ１００を撮影モードにする。ステップＳ１５０では、レリーズスイッチ１０４の押下等、撮影に関する操作を許可する。そしてステップＳ１６０において、表示部１０５へのスルー画の表示を開始する。なお、図５では省略しているが、カメラ１００を撮影モードにする際、投影部１０８が操作画像を投影していた場合には、これを中止する。操作検知用カメラ１０９による操作検知とスピーカー１０７による音楽再生についても同様である。
【００２５】
上述した第１の実施の形態によるカメラによれば、次の作用効果が得られる。
（１）カメラ１００は、載置面１５０に載置可能な底面部を有する本体と、レンズ鏡筒１０２を含み本体の正面部から突出する鏡筒包囲部１０１と、正面部に対向する背面部に設けられた表示部１０５と、鏡筒包囲部１０１の先端部１２０と底面部の先端部１３０とが載置面１５０に当接するように載置されたことを検出する加速度センサ１１１と、加速度センサ１１１により載置が検出されたことに応じて、表示部１０５の表示内容が変化するよう表示部１０５を制御する制御部１１２とを備える。このようにしたので、画像の鑑賞に適した姿勢にカメラ１００を載置するだけで表示部１０５による画像再生が始まる、使い勝手のよいカメラを提供することができる。カメラ１００は更に、被写体像を撮像する撮像素子１１０を備え、制御部１１２は加速度センサ１１１により載置が検出されている場合、撮像素子１１０による撮像を禁止する。このようにしたので、撮像する意味がない状態で載置されているときに誤操作により撮像が行われることのない、使い勝手のよいカメラを提供することができる。
【００２６】
（２）カメラ１００は、カメラ１００本体から突出するレンズ鏡筒１０２を囲う鏡筒包囲部１０１を備える。このようにしたので、表示部１０５が画像鑑賞に適した角度になるようにカメラ１００を載置することができる。また、防水性能を有する使い勝手のよいカメラを提供することができる。
【００２７】
（３）カメラ１００は、カメラ１００の正面部に設けられ、被写体に撮影補助光を照射する閃光装置１０３を備え、鏡筒包囲部１０１は、被写体に照射された撮影補助光を妨げない形状を有する。このようにしたので、閃光装置１０３の性能を最大限に発揮することができる、使い勝手のよいカメラを提供することができる。
【００２８】
（４）制御部１１２は、加速度センサ１１１により載置が検出されたことに応じて、表示部１０５が撮影画像を再生するよう表示部１０５を制御する。このようにしたので、画像の鑑賞に適した姿勢にカメラ１００を載置するだけで表示部１０５による画像再生が始まる、使い勝手のよいカメラを提供することができる。
【００２９】
（５）カメラ１００は、カメラ１００の底面部に設けられたスピーカー１０７を備え、制御部１１２は、加速度センサ１１１により載置が検出されているときに、スピーカー１０７により音声を再生する。このようにしたので、従来はスピーカー１０７の配置に適さなかった底面部にもスピーカー１０７を配置することができ、スピーカー１０７の配置の自由度が高まる。
【００３０】
（６）カメラ１００は、載置面１５０に光像を投影する投影部１０８を備える。このようにしたので、載置面１５０を、カメラ１００の支持のみならず、画像の表示にも利用することが可能となる。
【００３１】
（７）投影部１０８は、載置面１５０に操作画面を投影する。カメラ１００は、投影部１０８により載置面１５０に投影された操作画面に対して成された操作を検知する操作検知用カメラ１０９を備える。このようにしたので、載置面１５０を、カメラ１００の支持のみならず、カメラ１００の操作にも利用することが可能となる。
【００３２】
（８）ユーザにより撮影に関する操作が為されるレリーズスイッチ１０４を備え、制御部１１２は、加速度センサ１１１により載置が検出されている場合、レリーズスイッチ１０４による操作を禁止する。このようにしたので、再生モード時の誤操作を防止することができる。
【００３３】
次のような変形も本発明の範囲内であり、変形例の一つ、もしくは複数を上述の実施形態と組み合わせることも可能である。
【００３４】
（変形例１）
投影部１０８により投影される光像は、上述した操作画像に限定されない。例えば、ソフトウェアキーボードの画像を投影すれば、ユーザによる文字入力を受け付けることが可能になる。また、必ずしもユーザにより操作可能な画面を投影しなくてもよい。例えば、表示部１０５において再生中の画像の情報（撮影日時や撮影地、撮影時のシャッタースピード等）を投影部１０８により投影することもできる。この場合、投影部１０８は一種の表示デバイスとしてのみ用いられることになり、操作検知用カメラ１０９は不要となる。
【００３５】
（変形例２）
カメラ１００が図４のように載置されたことを検出する方法は、上述した加速度センサ１１１によるものに限定されない。例えば、鏡筒包囲部１０１の先端部１２０にプッシュスイッチを設け、このプッシュスイッチが押下された場合には図４のように載置されたと判断してもよい。また、赤外線をカメラ１００の下方に出射し、載置面１５０で反射した赤外線を検出することにより載置されたことを検出することもできる。
【００３６】
（変形例３）
上述した第１の実施の形態では、鏡筒包囲部１０１をカメラ１００本体の正面部から突出させていたが、本発明はそのような実施の形態に限定されない。例えば、レンズ鏡筒１０２そのものを、直接カメラ１００本体の正面部から突出させてもよい。この場合、レンズ鏡筒１０２の先端部と、カメラ１００本体の底面部の一部とが載置面１５０に当接するようにカメラ１００を載置した場合に、カメラ１００は再生モードに遷移する。
【００３７】
（変形例４）
図４のようにカメラ１００を載置したとき、すぐに撮影画像の再生が始まるのではなく、撮影画像の再生方法を選択するメニューが表示部１０５に表示されるようにしてもよい。例えば、撮影画像の再生順序を選択するメニューや、次の撮影画像への遷移を自動的に行うか手動操作で行うかを選択するメニュー、再生時に撮影画像に適用するエフェクト（例えば色調補正等）を選択するメニュー等を表示部１０５に表示させることができる。
【００３８】
（変形例５）
表示部１０５に、例えば静電容量式や感圧式のタッチパネルを設けてもよい。この場合、制御部１１２は、カメラ１００が再生モードのとき、上述したレリーズスイッチ１０４等と同様に、タッチパネルによる操作を禁止することが望ましい。
【００３９】
（変形例６）
図４に示したように、上述した実施形態において、鏡筒包囲部１０１の先端部は載置面１５０に点接触する。鏡筒包囲部１０１の先端部に設けたテーパの角度を調節することで、テーパ面を載置面１５０に面接触させることが可能である。このようにすることで、カメラ１００をより安定して載置することができる。
【００４０】
（変形例７）
投影部１０８および操作検知用カメラ１０９の設置位置は、カメラ１００本体の底面部に限定されない。例えばカメラ１００本体の背面部に投影部１０８や操作検知用カメラ１０９を設けてもよい。
【００４１】
（変形例８）
上述した実施形態では、レンズ一体型のデジタルカメラに本発明を適用した例について説明したが、本発明はこのような実施形態に限定されるものではない。例えば、レンズ交換式のデジタルカメラに本発明を適用することも可能である。
【００４２】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００４３】
１００…カメラ、１０１…鏡筒包囲部、１０２…レンズ鏡筒、１０３…閃光装置、１０４…レリーズスイッチ、１０５…表示部、１０７…スピーカー、１０８…投影部、１０９…操作検知用カメラ、１１０…撮像素子、１１１…加速度センサ、１１２…制御部、１１３…記憶媒体
【図１】
2014142553.tif 000003
【図２】
2014142553.tif 000004
【図３】
2014142553.tif 000005
【図４】
2014142553.tif 000006
【図５】
2014142553.tif 000007